(57)【特許請求の範囲】
【請求項１】
天面が開口したロールシート収納用ケース本体と、前記ケース本体に連設されかつケース本体の開口を封鎖しうる蓋板と、該蓋板の先端に延長される掩蓋片と、前記蓋板の側面側に設ける側蓋と、前記掩蓋片の先端裏面に取付けられるカッターとからなるカッター付きロール収納ケースにおいて、
前記側蓋は、内側に位置する内フラップと、この内フラップの外側に位置しかつ内フラップに一体に接合された外フラップとで構成され、
前記内フラップの一部は外フラップの端部より外側に長く突出し、その突出部が前記カッターを分離除去する際の指掛け用の摘み部とされていることを特徴とするカッター付きロール収納ケース。
【請求項２】
請求項１に記載のカッター付きロール収納ケースにおいて、前記側蓋及び／又は前記掩蓋片に、前記カッターの分離除去位置を示す点線印刷表示が施されていることを特徴とするカッター付きロール収納ケース。
【請求項３】
請求項２に記載のカッター付きロール収納ケースにおいて、前記分離除去位置を示す点線印刷表示は、前記側蓋と前記蓋板との境界線及び／又は前記掩蓋片に取付けられたカッターに沿って設けられていることを特徴とするカッター付きロール収納ケース。
【請求項４】
請求項１に記載のカッター付きロール収納ケースにおいて、前記側蓋と前記蓋板との境界線及び／又は前記掩蓋片に取付けられたカッターに沿って、ミシン線などの分離ガイド用切込線が設けられていることを特徴とするカッター付きロール収納ケース。
【請求項５】
請求項２または３に記載のカッター付きロール収納ケースにおいて、前記点線印刷表示線の全部または一部に、ミシン線などの分離ガイド用切込線が形成されていることを特徴とするカッター付きロール収納ケース。
【請求項６】
請求項２または３に記載のカッター付きロール収納ケースにおいて、少なくとも前記掩蓋片の両端部に、分離ガイド用切込線を形成してほぼ三角形状の分離部を設けることを特徴とするカッター付きロール収納ケース。
【請求項７】
請求項１から６の何れかに記載のロール収納ケースにおいて、前記外フラップに切欠部が設けられ、該切欠部から前記内フラップの一部が突出し、該突出部が指掛け用の摘み部とされていることを特徴とするカッター付きロール収納ケース。
【請求項８】
請求項１から７の何れかに記載のカッター付きロール収納ケースにおいて、前記摘み部の周縁形状は波形状に形成されていることを特徴とするカッター付き付きロール収納ケース。
【請求項９】
請求項１から７の何れかに記載のカッター付きロール収納ケースにおいて、前記摘み部は円弧タブ形状に形成されていることを特徴とするカッター付きロール収納ケース。
【発明の詳細な説明】
【０００１】
【発明の属する技術分野】
本発明は、食品包装などに用いられる合成樹脂製ラップフィルム、アルミニウム箔、台所用紙シート等各種ロールシートを、所望長さに切断して使用するカッター付きロール収納ケースに関し、特に使用後にケースからカッターを容易に分離できるようにしたカッター付きロール収納ケースに関する。
【０００２】
【従来の技術】
従来のカッター付きロール収納ケースでは、紙製の箱（カートンケース）内にラップフィルム等がコアに巻かれた状態で収納されている。このケース本体の背面部にケースの開口部を覆う蓋板が連接され、さらに蓋板の先端にケース本体の前面板と重なり合う掩蓋片が設けられている。
この掩蓋片の先端部の裏側に金属製切断部材（鋸歯付カッター）が、カシメ固定または接着等の手段で取付けられている。切断部材は通例は薄い帯板状鉄板で形成されていて、該鉄板の長手方向に沿う両側縁または一側縁に鋸状の刃を備えており、この鋸歯刃が掩蓋片の先端からわずかに突出するように取付けられている。
このようにカッター付きロール収納ケースでは、紙製の箱に金属製切断部材が取付けられているため、ラップフィルム等を使いきった後に、ケースを廃棄処理するとき又は用紙の再生の際には、金属製の切断部材を分離して別個に金属ごみとして処分しなくてはならないという環境問題が生じている。そのため掩蓋片の裏側に取付けられている金属製切断部材をはがす際に、指でつかむための取り掛かり部分のないものは、金属製切断部材を直に指でつかんで分離するか、あるいはハサミを使って切断部材をケースから分離するか、もしくは特開平９−１６５０２９号公報にも開示されているように、予めケースの掩蓋片に、切断部材の分離除去用の切目線（ミシン目）を形成しておき、これを利用して切断部材をケースからはがして分離している。
【０００３】
【発明が解決しようとする課題】
しかしながら、いちいちハサミを使ってケースから分離する方法は作業的に面倒であること、一方、切断部材を直に掴んでの分離の方法は、鋸歯の部分を指で触って指を傷つけてしまうことがあった。さらに、ケースの掩蓋片やその接合片に、切断部材分離除去用の切断線（ミシン目）を形成しておく方法では、ケースに穿たれたミシン目などの切目線が細く又小さいので、ケースのどの位置を切離すべきかが使用者に判りづらかった。しかも分離時にケースの引っ張る部分が特別な形状などで区別されていなかったので引っ張る部分が視覚的に認識しづらかった。分離位置の表示なども使用者にとって必ずしも判りやすいとは言えなかった。そのため、特に高齢者や弱視者などにとってはカッター部材をケースから剥がし分離させることが容易でなかった。
【０００４】
本発明は、上記の従来技術の問題を解決するためになされたものであって、その目的とするところは、高齢者や弱視者などでも、切断部材を安全かつ容易に分離することのできるカッター付きロール収納ケースを提供することにある。
【０００５】
【課題を解決するための手段】
上記目的を達成するために、本発明にかかる切断部材（カッター）付きロール収納ケースは、次のような構成を採用したものである。
第一の発明は、天面が開口したロールシート収納用ケース本体と、前記ケース本体に連設されかつケース本体の開口を封鎖しうる蓋板と、該蓋板の先端に延長される掩蓋片と、前記蓋板の側面側に設ける側蓋と、前記掩蓋片の先端裏面に取付けられたカッターとからなるカッター付きロール収納ケースにおいて、
前記蓋板の側面側に設ける側蓋は、内側に位置する内フラップと、この内フラップの外側に位置しかつ内フラップに一体に接合された外フラップとで構成され、前記内フラップの一部は外フラップの端部より外側に長く突出しその突出部が前記カッターを分離除去する際の指掛け用の摘み部とされていることを特徴とするカッター付ロール収納ケースである。
本発明のケースは、このように構成されることにより、カッターを分離するの際に摘み部を摘むことで、カッターが分離できるので、安全に分離操作を行うことができる。
【０００６】
第二の発明は、請求項１の発明において、前記側蓋及び／又は掩蓋片に、前記カッターの分離除去位置を示す点線印刷表示が施されていることを特徴とするカッター付ロール収納ケースである。
このような構成を採用することにより、カッターの分離時に、作業者がケースのどの位置を切り離すべきかを視覚的に容易に認識できる。
【０００７】
第三の発明は、請求項２に記載されたカッター付きロール収納ケースにおいて、前記分離除去位置を示す点線印刷表示は、前記側蓋と蓋板との境界線及び／又は掩蓋片に取付けられたカッターの縁部に沿って設けられていることを特徴とするカッター付きロール収納ケースである。
このような構成を採用することにより、カッターの分離時に、前記側蓋と蓋板との境界線及び／又は掩蓋片に取付けられたカッターの縁部に沿う点線印刷表示にしたがってカッターの分離作業を迷うことなく、容易にできる。
【０００８】
第四の発明は、請求項１に記載のカッター付きロール収納ケースにおいて、前記側蓋と前記蓋板との境界線及び／又は前記掩蓋片に取付けられたカッターに沿って、ミシン線などの分離ガイド用切込線が設けられていることを特徴とするカッター付きロール収納ケースであり、第五の発明は、請求項２または３に記載のカッター付きロール収納ケースにおいて、前記点線印刷表示線の全部または一部に、ミシン線などの分離ガイド用切込線が形成されていることを特徴とするカッター付きロール収納ケースである。
このような構成を採用することにより、カッターの分離時に、掩蓋片を少ない力でスムーズに切断することができ、カッターの分離作業を容易に行うことができる。
【０００９】
第六の発明は、請求項２又は３に記載されたカッター付きロール収納ケースにおいて、少なくとも掩蓋片の両端部に分離ガイド用切込線を形成し、ほぼ三角形形状の分離部を設けることを特徴とするカッター付きロール収納ケースである。
このような構成を採用することにより、カッターの分離時に、掩蓋片を少ない力でスムーズに切断することができ、カッターの分離作業を容易に行うことができる。
【００１０】
第七の発明は、請求項１から６の何れかに記載のロール収納ケースにおいて、外フラップには切欠部が設けられ、該切欠部から前記内フラップの一部が突出し、該突出部が指掛け用の摘み部とされていることを特徴とする切断部材付きロール収納ケースである。このような構成によれば、カッターを分離する際の分離部をつかんで引っ張る作業がさらに容易になる。
【００１１】
第八の発明は、請求項１から７の何れかに記載のロール収納ケースにおいて、前記摘み部の周縁形状は波形状に形成されていることを特徴とする切断部材付きロール収納ケースである。第九の発明は、請求項１から７の何れかに記載のロール収納ケースにおいて、前記摘み部は円弧タブ形状に形成されていることを特徴とする切断部材付きロール収納ケースである。
第八の発明と第九の発明によれば、分離時に作業者が引っ張る部分（摘み部）の周縁形状が波形状や円弧タブ形状等の特別な形状に形成されていることにより、他の部分と容易に区別されるので、摘み部が認識しやすくなる。
そのため高齢者や弱視者などにとっては、分離部の認識がきわめて容易となり、カッターの分離作業が迅速に行える。
【００１２】
【発明の実施の形態】
以下、本発明の実施形態を図面に基づいて説明する。
図１は本発明の実施の一形態にかかるカッター付きロール収納ケースの全体像を示す斜視図であり、図２はこのケースの端部を示す部分拡大斜視図である。また、図３はブランクと呼ばれるカートンケース組立前の平板状シートの展開図である。図３に示すように、本実施の形態におけるケース本体１２は、一枚の厚紙材料より形成されるものであって、このロール収納ケースは、組立てられた状態で天面が開口した直方体形状のケース本体１２と、該ケース本体に連設され、かつ該ケース本体の開口を封鎖しうる蓋板１７と、蓋板に連接した掩蓋片１８と、前記蓋板の側面側に設ける側蓋１９と、掩蓋片の先端に延長される開封フラップ１８ａとから構成されている。
ケース本体の内部には、コアに巻かれたラップフィルム等のロールシート１１が収納される（図１参照）。
【００１３】
次に、図３により実施形態のブランクの構成を説明する。図に示すように、ケースを構成する５枚の矩形状パネル１４〜１８を、罫線を介して、一方向に連接するものである。機能的にみると、符号１５は底板、符号１４と１６は前記底板１５の前後両側縁に連接した同じ大きさの前面板と背面板である。背面板の延長上には同形状の蓋板１７が連接され、また蓋板１７にはさらに掩蓋片１８が連接されている。掩蓋片１８は切取りミシン線１８ｂを介して前述した開封フラップ１８ａが連接されている。ちなみにこの開封フラップは、カートンケースからロールシート１１を引き出すときに前記ミシン線１８ｂから切除し、図１のように掩蓋片１８の先端からカッターの先端が突出するようにして使用する。
なお符号１３は箱内からロールシート１１の飛び出しを防ぐための抑えフラップである。
また、前面板１４と底板１５並びに背面板１６の両端部延長上に、ケースの端面を閉塞するための端面外フラップ２０ａ，２０ｂと、端面内フラップ２１ａ，２１ｂ及び２２ａ，２２ｂが罫線を介して連接されている。さらに蓋板１７と掩蓋片１８の両側部延長上に、側蓋１９を構成する外フラップ２３ａ，２３ｂと該外フラップと一体に接合される内フラップ２４ａ，２４ｂとが罫線を介して連接されている。
【００１４】
前述のように収納ケース本体１２は、前面板１４、背面板１６、底板１５及び内外の各端面フラップ２０ａ〜２２ｂとからなり、これらの各パネルにより５面が覆われ、かつ上面が開口部となる直方体のケースが組立てられている。また背面板１６に連続して、ケース開口部を塞ぐための蓋板１７が延びている。蓋板１７の先端部には掩蓋片１８が前面板１４の上に重なることができるように形成されている。また、蓋板１７の側面位置には側蓋１９を構成する外フラップ２３ａ，２３ｂと内フラップ２４ａ，２４ｂとが、前記外側端面板２０ａ，２０ｂの上にかぶさるように設けられている（図１参照）。
側蓋１９を構成する外フラップ２３ａ，２３ｂと内フラップ２４ａ，２４ｂとの関係については後述する。
【００１５】
掩蓋片１８の先端部裏側には、図１、図２に示したように、長手方向両側縁部に鋸歯状の刃部３０ａ，３０ｂを有する切断部材（本発明でいうカッター）３０が取付けられている。この切断部材の一方の刃３０ａは、掩蓋片１８の先端からわずかに突出するように取付けられている。切断部材は、従来型と同様に金属板より形成されており、この金属板から切り起こして形成された複数のかしめ片３０ｃにより掩蓋片１８に取付けられている。切断部材は金属製のみならず、プラスチック製であってもよい。
【００１６】
前述したように、蓋板１７の左右両端部に側蓋１９を構成する外フラップ２３ａ，２３ｂがそれぞれ連接され、一方、掩蓋片１８の左右両端部には、内フラップ２４ａ，２４ｂがそれぞれ連接されている。図２にも示すようにこの内フラップ２４ａ，２４ｂは組立て時に前記外フラップ２３ａ，２３ｂの内側に重ねられ、互いに接着固定される。蓋板１７によりケース本体の開口部が塞がれると、掩蓋片１８が前面板１４の外側に重ねられ、また、外フラップ２３ａ，２３ｂ及び内フラップ２４ａ，２４ｂが、外側端面板２０ａ，２０ｂの外側に重ねられる。
【００１７】
図１及び図２に示すように、この実施の形態では、内フラップ２４ａ，２４ｂの一部の縁が波形状２４ｃ，２４ｄに形成されている。一方、外フラップの背面板側の端部は、図示したように切欠部２３ｃ、２３ｄを有しており、内フラップと接着固定された状態では、前記切欠部２３ｃ、２３ｄから内フラップの波状縁部２４ｃ、２４ｄが突出する構成となっている。
【００１８】
なお、突出部分の周縁形状は波形状に限るものではなく、突出部自体を半円形のタブ２５とするなどの指で摘みやすい他の形状としても良い（図５参照）。また、場合によっては突出部自体を周囲とは異なる、目立つ色彩例えば赤色などにより着色印刷すると良い。
【００１９】
また、本発明の実施の形態においては、ケ−ス廃棄時における切断部材の分離除去位置を示すための点線印刷表示３１ａ，３１，、３１ｃが、前記側蓋１９と蓋板１７とのほぼ境界線上と、掩蓋片１８に取付けられたカッター３０の縁に沿う位置に施されている。
さらにこの実施の形態では、前記掩蓋片１８の点線印刷表示３１ｃの下側に、切断部材（カッター）の分離方法を記述した説明表示３２が黒色印刷またはカラー印刷によってなされている。この説明表示３２は通例は文字でなされるが、絵もしくは絵と文字の両方（図略）によりなされていても良い。このようにすると切断部材の分離除去位置の認識が視覚的にさらに容易となる。
【００２０】
ところで、掩蓋片の両端部１８には、図６に示すように、分離ガイド用切込線４１ａ，４１ｂを形成してほぼ三角形状の分離部４０ａ，４０ｂを設けるのがよい。このようにするとケースを廃棄するときには、高齢者や弱視者などでも識別しやすいケース側面における波形状突出縁または半円形タブなどの指で摘みやすい部分を摘んで外側に引っ張ると、側蓋１９は蓋板１７とのほぼ境界線上から点線表示３１ａに沿って切断分離される。
そしてさらに内フラップ２４を保持したまま、図４に示したように、ケース前方にまくるように引っ張っていくと分離ガイド用切込線４１ａ，４１ｂにより、三角形状の分離部４０ａ，４０ｂが掩蓋片１８からスムーズに切離され、続いて切断部材３０が掩蓋片１８から点線表示３１ｂ，３１ｃに沿って分離していく。すなわち、側蓋の内フラップを指で掴んで三角形状の分離部４０ａ，４０ｂに沿う分離ガイド用切込線４１ａ，４１ｂを破り、その後は、切断部材２０を矢印Ｂ方向にひねりながら側蓋の内フラップ２４ｂを引っ張ることにより、そのまま点線表示に沿って破り進む。切断部材３０の鋸歯３０ｂが掩蓋片１８の裏面を切り裂くので、容易に切断部材３０をケースから分離することができる。
【００２１】
なお分離位置を示す方法として、点線印刷表示の代わりに分離部全体を周囲とは異なる色に着色することが可能である。また、分離ガイド用切込線は、一部だけでなく分離境界部全体に設けても良い。このように本発明は、上記実施の形態に限定されないことは言うまでもない。
【００２２】
【発明の効果】
以上説明したように本発明によれば、蓋板の側面側に設ける側蓋は内側に位置する内フラップとこの内フラップの外側に位置しかつ内フラップに一体に接合された外フラップとで構成され、前記内フラップの一部分は外フラップの端部より外側に突出し、その突出部が前記カッターを分離除去する際の指掛け用の摘み部とされているので、カッター分離の際に摘み部を掴むことにより、安全に切断部材の分離操作を行うことができる。
また、掩蓋片及び側蓋に切断部材の分離位置を示す印刷表示がされているので、カッターの分離時に、高齢者や弱視者でも、ケースのどの位置を切離すべきかが視覚的に容易に認識できる。
【００２３】
また、掩蓋片の分離部に切込み線が形成されているので、少ない力でも容易に切断部材の分離を行うことができる。
さらに、本発明の側蓋の外フラップに切欠部が形成され、該切欠部から前記内フラップの一部が突出し、該突出部が指掛け用の摘み部とされ、また摘み部の周縁形状は高齢者や弱視者に識別しやすい形状とされ、カッターの分離時に、高齢者や弱視者でも、ケースのどの位置を引っ張るかが視覚的に容易に認識できるものとなる。
【図面の簡単な説明】
【図１】本実施の形態にかかるカッター付きロール収納ケースの全体像を示す斜視図である。
【図２】同上ケースの端部を示す拡大部分斜視図である。
【図３】同上ケースの組立て前の平板状シート状態の展開図である。
【図４】カッター部分の除去動作を示す部分斜視図である。
【図５】本発明の他の実施の形態にかかるカッター付きロール収納ケースの全体像を示す斜視図である。
【図６】さらに別の実施の形態にかかるケースの端部を示す部分斜視図である。
【符号の説明】
１０  カッター付きロール収納ケース
１１  ロールシート
１２  ケース本体
１３  抑えフラップ
１４  前面板
１５  底板
１６  背面板
１７  蓋板
１８  掩蓋片
１８ａ  開封フラップ
１９  側蓋
２０ａ，２０ｂ  端面外フラップ
２１ａ，２１ｂ  端面内フラップ
２２ａ，２２ｂ  端面内フラップ
２３ａ，２３ｂ  外フラップ（側蓋）
２３ｃ，２３ｄ  切欠部
２４ａ，２４ｂ  内フラップ
２４ｃ，２４ｄ  波状部
２５  タブ
３０  カッター（切断部材）
３１ａ，３１ｂ，３１ｃ  点線印刷表示
３２  説明表示
４０ａ，４０ｂ  三角形状分離部
４１ａ，４１ｂ  分離ガイド用切込線
【図１】
0003944873.tif 000002
【図２】
0003944873.tif 000003
【図３】
0003944873.tif 000004
【図４】
0003944873.tif 000005
【図５】
0003944873.tif 000006
【図６】
0003944873.tif 000007